【手続補正書】
【提出日】平成20年5月2日(2008.5.2)
【手続補正１】
【補正対象書類名】明細書
【補正対象項目名】特許請求の範囲
【補正方法】変更
【補正の内容】
【特許請求の範囲】
【請求項１】  １対のガラスもしくはプラスチック板もしくはプラスチックフィルムを含んで成っていてこれらの中の少なくとも一方の板もしくはフィルム、好適には両方の板もしくはフィルムに各場合とも片面に導電性被膜が与えられていて少なくとも一方の板もしくはフィルムおよびその導電性被膜が透明でありかつもう一方が反射鏡になっていてもよくそして前記２枚の板もしくはフィルムの中の少なくとも一方における導電性層が個々別々に接触子が与えられている個別の領域セグメントに分割されていてもよくて前記板もしくはフィルムがこれらの導電性被膜側でシーリングリングによって一緒に連結しておりそして前記２枚の板もしくはフィルムとシーリングリングによって形成された容積が少なくとも１種の被還元性エレクトロクロミック物質ＯＸ2と少なくとも１種の被酸化性エレクトロクロミック物質ＲＥＤ1を含んで成るエレクトロクロミック媒体で満たされているエレクトロクロミックデバイスであって、１種のＯＸ2が式
【化１】
2003533583.tif 000001
［式中、
Ｒ201およびＲ202は、互いに独立して、アルキル、シクロアルキル、アルケニル、アラルキル、アリール、−［Ｃ（ＰＱ）］-または二価ブリッジＢであり、
Ｚ201は、式ＣＲ210Ｒ211で表される二価基、Ｏ、Ｃ＝Ｏまたはｏ−フェニレンであり、
Ｒ210およびＲ211は、互いに独立して、水素、メチルまたはエチルであるか、或は
ＣＲ210Ｒ211がＣ3−からＣ7−シクロアルカン−１，１−ジイルであり、
環Ｃ、Ｄ、ＥおよびＦは、互いに独立して、４個以下のアルキルおよび／またはアルコキシ基で置換されていてもよく、或は環ＣとＤまたは環ＥとＦのそれぞれが−（ＣＨ2）4−もしくは−ＣＨ＝ＣＨ−ＣＨ＝ＣＨ−ブリッジを介して連結されていてもよく、
ＰおよびＱは、互いに独立して、−ＣＮまたは−ＣＯＯ−アルキルであり、そして
Ｘ-は、アニオンである］
に相当することを特徴とするエレクトロクロミックデバイス。
【請求項２】  窓またはセパレーティングスクリーンまたはサイトプロテクションスクリーンまたはグレージングまたはルーフグレージングまたは光フィルターまたは鏡またはディスプレーデバイスとしての請求項１記載のエレクトロクロミックデバイスの使用方法。
【手続補正２】
【補正対象書類名】明細書
【補正対象項目名】０１７５
【補正方法】変更
【補正の内容】
【０１７５】
もしエレクトロクロミックスゥイングが２０％失われた時にセルが有意な損傷を受けたと定義するならば、実施例９のセル（本発明に従わない）が示した安定性は約８５時間であった。本発明に従う橋状バイオロゲン（実施例８）を用いた時の安定性は５００時間にまで高くなり、このことは、６倍向上したことに相当する。
本発明の好適な実施の態様は次のとおりである。
１．  １対のガラスもしくはプラスチック板もしくはプラスチックフィルムを含んで成っていてこれらの中の少なくとも一方の板もしくはフィルム、好適には両方の板もしくはフィルムに各場合とも片面に導電性被膜が与えられていて少なくとも一方の板もしくはフィルムおよびその導電性被膜が透明でありかつもう一方が反射鏡になっていてもよくそして前記２枚の板もしくはフィルムの中の少なくとも一方における導電性層が個々別々に接触子が与えられている個別の領域セグメントに分割されていてもよくて前記板もしくはフィルムがこれらの導電性被膜側でシーリングリングによって一緒に連結しておりそして前記２枚の板もしくはフィルムとシーリングリングによって形成された容積が少なくとも１種の被還元性エレクトロクロミック物質ＯＸ2と少なくとも１種の被酸化性エレクトロクロミック物質ＲＥＤ1を含んで成るエレクトロクロミック媒体で満たされているエレクトロクロミックデバイスであって、１種のＯＸ2が式
【化１】
2003533583.tif 000002
［式中、
Ｒ201およびＲ202は、互いに独立して、アルキル、シクロアルキル、アルケニル、アラルキル、アリール、−［Ｃ（ＰＱ）］-または二価ブリッジＢであり、
Ｚ201は、式ＣＲ210Ｒ211で表される二価基、Ｏ、Ｃ＝Ｏまたはｏ−フェニレンであり、
Ｒ210およびＲ211は、互いに独立して、水素、メチルまたはエチルであるか、或は
ＣＲ210Ｒ211がＣ3−からＣ7−シクロアルカン−１，１−ジイルであり、
環Ｃ、Ｄ、ＥおよびＦは、互いに独立して、４個以下のアルキルおよび／またはアルコキシ基で置換されていてもよく、或は環ＣとＤまたは環ＥとＦのそれぞれが−（ＣＨ2）4−もしくは−ＣＨ＝ＣＨ−ＣＨ＝ＣＨ−ブリッジを介して連結されていてもよく、
ＰおよびＱは、互いに独立して、−ＣＮまたは−ＣＯＯ−アルキルであり、そして
Ｘ-は、アニオンである］
に相当することを特徴とするエレクトロクロミックデバイス。
２．  Ｒ201およびＲ202が互いに独立してＣ1−からＣ18−アルキル、Ｃ3−からＣ8−シクロアルキル、Ｃ2−からＣ18−アルケニル、Ｃ7−からＣ10−アラルキル、Ｃ6−からＣ10−アリールまたは−［Ｃ（ＣＮ）2］-、−［Ｃ（ＣＮ）ＣＯＯ−Ｃ1−からＣ4−アルキル］-または−［Ｃ（ＣＯＯ−Ｃ1−からＣ4−アルキル）2］-であり、
Ｚ201がＣＨ2、Ｃ＝Ｏまたはｏ−フェニレンであり、
環Ｃ、Ｄ、ＥおよびＦが互いに独立して４個以下のメチル基で置換されていてもよく、或は環ＣとＤまたは環ＥとＦがそれぞれ−（ＣＨ2）4−もしくは−ＣＨ＝ＣＨ−ＣＨ＝ＣＨ−ブリッジを介して連結していてもよく、そして
Ｘ-がアニオンである、
上記１記載のエレクトロクロミックデバイス。
３．  Ｒ201およびＲ202の中の少なくとも一方が二価ブリッジＢでありそして適宜もう一方がＣ1−からＣ18−アルキル、Ｃ3−からＣ8−シクロアルキル、Ｃ2−からＣ18−アルケニル、Ｃ7−からＣ10−アラルキル、Ｃ6−からＣ10−アリールまたは−［Ｃ（ＣＮ）2］-、−［Ｃ（ＣＮ）ＣＯＯ−Ｃ1−からＣ4−アルキル］-または−［Ｃ（ＣＯＯ−Ｃ1−からＣ4−アルキル）2］-であり、
Ｚ201がＣＨ2、Ｃ＝Ｏまたはｏ−フェニレンであり、
環Ｃ、Ｄ、ＥおよびＦが互いに独立して４個以下のメチル基で置換されていてもよいか或は環ＣとＤまたは環ＥとＦがそれぞれ−（ＣＨ2）4−もしくは−ＣＨ＝ＣＨ−ＣＨ＝ＣＨ−ブリッジを介して連結していてもよく、そして
Ｘ-がアニオンであり、
式（ＣＣ）で表される別のエレクトロクロミック物質または別のエレクトロクロミック物質ＯＸ2またはＲＥＤ1がブリッジＢを介して結合していてもよい、
上記１記載のエレクトロクロミックデバイス。
４．  Ｒ201およびＲ202が互いに独立してメチル、エチル、プロピル、ブチル、ペンチル、ヘキシル、ヘプチル、オクチル、ベンジル、フェネチル、フェニルプロピル、フェニルブチルまたはフェニルであり、
Ｚ201がＣＨ2、Ｃ＝Ｏまたはｏ−フェニレンであり、
環ＣとＤまたは環ＥとＦがそれぞれ−ＣＨ＝ＣＨ−ＣＨ＝ＣＨ−ブリッジを介して連結していてもよく、そして
Ｘ-がアニオンである、
上記２記載のエレクトロクロミックデバイス。
５．  式（ＣＣ）が式
【化２】
2003533583.tif 000003
［式中、
Ｒ201および−Ｂ−Ｒ202は、互いに独立して、メチル、エチル、プロピル、ブチル、ペンチル、ヘキシル、ヘプチル、オクチル、ベンジル、フェネチル、フェニルプロピル、フェニルブチルまたはフェニルであるか、或は
式（ＣＣＩ）中のＲ201およびＲ202は、共に直接結合であり、そして
式（ＣＣＩＩ）、（ＣＣＩＩＩ）および（ＣＣＩＶ）中のＲ201は、−Ｂ［ＯＸ2'−Ｂ'−］r−Ｒ203または−Ｂ［ＲＥＤ1'−Ｂ"−］u−Ｒ204または−Ｂ［ＲＥＤ1'−Ｂ"−］u−［ＯＸ2'−Ｂ'−］r−Ｒ205であってもよく、
Ｚ201は、ＣＨ2、Ｃ＝Ｏまたはｏ−フェニレンであり、
環ＣとＤまたは環ＥとＦは、それぞれ、−ＣＨ＝ＣＨ−ＣＨ＝ＣＨ−ブリッジを介して連結していてもよく、
Ｂ、Ｂ'およびＢ"は、互いに独立して、二価のブリッジであり、
−Ｂ'−Ｒ203、−Ｂ"−Ｒ204および−Ｂ'−Ｒ205は、互いに独立して、水素またはメチル、エチル、プロピル、ブチル、ペンチル、ヘキシル、ヘプチル、オクチル、ベンジル、フェネチル、フェニルプロピル、フェニルブチルまたはフェニルであり、
ＯＸ2'は、電気化学的に、可逆的に還元され得る酸化還元系の残基であり、そして
ＲＥＤ1'は、電気化学的に、可逆的に酸化され得る酸化還元系の残基であり、
ｋは、２から１０００の整数であり、
ｌ、ｒおよびｕは、互いに独立して、１から１００の整数であり、
ｔおよびｗは、互いに独立して、１から１０００の整数であり、そして
Ｘ-は、アニオンである］
の中の１つの部分であることを特徴とする上記３記載のエレクトロクロミックデバイス。
６．  ｌ、ｕおよびｔが１である上記５記載の式（ＣＣＩＩＩ）のエレクトロクロミックデバイス。
７．  ａ）式（ＣＣ）または（ＣＣＩ）で表されるエレクトロクロミック物質ＯＸ2と追加的に式（Ｉ）で表されるエレクトロクロミック物質ＯＸ2と式（ＸＸＶＩ）で表されるエレクトロクロミック物質ＲＥＤ1、または式（Ｉ）で表される基をＯＸ2として含有しかつ式（ＸＸＶＩ）で表される基および場合により式（ＸＸＶＩ）で表されるエレクトロクロミック物質ＲＥＤ1をＲＥＤ1として含有するエレクトロクロミック物質ＯＸ2−Ｂ−ＲＥＤ1、または
ｂ）式（ＣＣＩＩＩ）で表されるエレクトロクロミック物質と追加的に式（Ｉ）で表されるエレクトロクロミック物質ＯＸ2と場合により式（ＸＸＶＩ）で表されるエレクトロクロミック物質ＲＥＤ1、または式（Ｉ）で表される基をＯＸ2として含有しかつ式（ＸＸＶＩ）で表される基と場合により式（ＸＸＶＩ）で表されるエレクトロクロミック物質ＲＥＤ1をＲＥＤ1として含有するエレクトロクロミック物質ＯＸ2−Ｂ−ＲＥＤ1、
を含んで成ることを特徴とする上記１から６のいずれか１項記載のエレクトロクロミックデバイス。
８．  式（ＣＣ）から（ＣＣＩＶ）の中の１つで表されるエレクトロクロミック物質であって、前記式中の基は上記１から６で定義した通りであるが、但し式（ＣＣ）では、
Ｚ201がＣＨ2の時にはＲ201およびＲ202の両方ともがメチル、エチルまたはベンジルでなくてもよく、そして
Ｚ201がｏ−フェニレンの時にはＲ201およびＲ202の両方ともがベンジルでなくてもよい、
ことを条件とし、そして式（ＣＣＩ）では、
Ｚ201がｏ−フェニレンであり、
Ｒ201とＲ202が共に直接結合であり、
ｋが１であり、そして
Ｂがｏ−フェニレンまたは−（ＣＨ2）3である、
ことを条件とするエレクトロクロミック物質。
９．  式（ＣＣ）から（ＣＣＩＶ）［式中の基は上記１から６で定義した通りである］で表される少なくとも１種のエレクトロクロミック物質を含んで成るエレクトロクロミック媒体。
１０．  窓またはセパレーティングスクリーンまたはサイトプロテクションスクリーンまたはグレージングまたはルーフグレージングまたは光フィルターまたは鏡またはディスプレーデバイスとしての上記１から６のいずれか１項記載のエレクトロクロミックデバイスの使用。